(57)【要約】【課題】メラトニンの分泌抑制の度合いを時間に応じて変化させて生体リズムの調整を行うと共に、季節に応じて体感温度の調整を行うことにより使用者の快適性を向上することができる照明装置を提供する。【解決手段】発光色が異なる複数の光源１１，１２，１３，１４，１５と、該複数の光源１１，１２，１３，１４，１５夫々の発光強度を制御する制御部２とを備える照明装置において、暦情報に基づいて季節に応じて色温度を変えているから、季節に応じた体感温度の調整を行うことができるとともに、時間情報に基づいて第１の波長領域及び第１の波長領域と異なる第２の波長領域のうち一方の波長領域の分光成分がより多く照明光に含まれるようにしているから、メラトニンの分泌抑制の度合いを時間に応じて変化させて時間又は使用者の生活態様に応じて生体リズムを調整することができ、使用者の快適性を向上することができる。【選択図】図１
2009259639.tif 000002
【特許請求の範囲】
【請求項１】
発光色が異なる複数の光源と、該複数の光源夫々の発光強度を制御する制御手段とを備える照明装置において、前記制御手段は、暦情報及び時間情報に基づいて前記複数の光源からの照明光の分光分布を変更すべく、該複数の光源夫々の発光強度を制御するようにしてあることを特徴とする照明装置。
【請求項２】
前記制御手段は、暦情報に基づいて前記照明光の色温度を変更するとともに、時間情報に基づいて第１の波長領域及び該第１の波長領域と異なる第２の波長領域のうち一方の波長領域の分光成分をより多く含むように前記照明光の分光分布を決定して、決定された分光分布に応じて前記複数の光源夫々の発光強度を制御するようにしてあることを特徴とする請求項１に記載の照明装置。
【請求項３】
前記第１の波長領域は４３０〜４７０ｎｍであり、前記第２の波長領域は３８０〜４３０ｎｍ及び４７０〜５１０ｎｍであることを特徴とする請求項２記載の照明装置。
【請求項４】
前記複数の光源は、ピーク波長が異なる複数の青色光源を含み、前記制御手段は、時間情報に基づいて前記複数の青色光源夫々の発光強度を制御するようにしてあることを特徴とする請求項１から３の何れか一つに記載の照明装置。
【請求項５】
前記制御手段は、同一日付における前記照明光の色温度を略一定に保持しつつ、前記複数の光源夫々の発光強度を制御するようにしてあることを特徴とする請求項１から４の何れか一つに記載の照明装置。
【請求項６】
前記制御手段は、暦情報に基づいて定められた第１期間及び第２期間に応じて前記照明光が高色温度及び低色温度となるように前記複数の光源夫々の発光強度を制御するようにしてあることを特徴とする請求項１から５の何れか一つに記載の照明装置。
【請求項７】
発光色が異なる複数の光源と、該複数の光源夫々の発光強度を制御する制御手段とを備える照明装置において、暦情報及び時間情報と前記複数の光源からの照明光の分光分布との対応関係を示す参照テーブルと、時計手段とを備えており、前記制御手段は、前記時計手段による暦情報及び時間情報を前記参照テーブルに適用して前記照明光の分光分布を決定し、決定された分光分布に応じて前記複数の光源夫々の発光強度を制御するようにしてあることを特徴とする照明装置。
【請求項８】
発光色の異なる複数の光源と、
該複数の光源夫々の発光強度を制御する制御手段とを備える照明装置において、
前記複数の光源は、メラトニン分泌抑制等の生体作用度の異なる光源を含み、
前記制御手段は、前記複数の光源からの照明光の分光分布を制御することにより、前記照明光の色温度を変化させることなく、メラトニン分泌抑制等の生体作用を調整することを特徴とする照明装置。
【発明の詳細な説明】
【技術分野】
【０００１】
本発明は、発光色が異なる複数の光源を備え、該複数の光源からの照明光の分光分布を変更することができるように構成された照明装置に関する。
【背景技術】
【０００２】
住宅、オフィス等の室内の照明に用いられる照明装置として、白熱電球、蛍光灯、発光ダイオード（以下、ＬＥＤという）等の光源を備える照明装置が用いられている。近年、これらの照明装置に求められる機能は、明るく周囲を照らす視認性のみではなく、光が生体に与える影響を考慮して使用者の快適性を向上すべく多様化してきている。
【０００３】
光が生体に与える影響として、例えば、体温の低下及び入眠を促すと考えられている脳内分泌ホルモンであるメラトニンの分泌が人の目に入る光により抑制されることが知られており、４６４ｎｍ近傍の波長（青色から水色に対応する波長）がメラトニンの分泌抑制に対して支配的であることがわかっている（非特許文献１）。
【０００４】
また、光の色温度に応じて体感温度が異なること、具体的には、色温度が５０００Ｋ以上の光に対しては、やや青みが感じられて心理的に涼しい感じが得られ、色温度が３３００Ｋ以下の光に対しては、やや黄赤味が感じられて心理的に暖かい感じが得られることが知られている。この点に着目して、季節に応じて光源からの光の色温度を変化させるように構成された照明システムが提案されている（例えば、特許文献１参照）。
【０００５】
特許文献１に開示された照明・空調統合システムは、照明負荷及び空調負荷を備え、季節に応じて照明負荷の光源色温度を変化させ、光源色温度の高／低に応じて、照度設定が低／高となり、空調温度設定が高／低となるように、照明負荷及び空調負荷を制御するように構成してある。これにより、夏季において、光源色温度を高くすることにより体感温度が下がり使用者に涼しく感じさせることができ、冬季において、光源色温度を低くすることにより体感温度が上がり使用者に暖かく感じさせることができることになり、使用者の快適性を向上することができると共に、省エネルギに資する。
【特許文献１】特許第３３５１８２２号公報
【非特許文献１】Ｇｅｏｒｇｅ  Ｃ．  Ｂｒａｉｎａｒｄ，  ｅｔ  ａｌ．：  “Ａｃｔｉｏｎ  Ｓｐｅｃｔｒｕｍ  ｆｏｒ  Ｍｅｌａｔｏｎｉｎ  Ｒｅｇｕｌａｔｉｏｎ  ｉｎ  Ｈｕｍａｎｓ：  Ｅｖｉｄｅｎｃｅ  ｆｏｒ  ａ  Ｎｏｖｅｌ  Ｃｉｒｃａｄｉａｎ  Ｐｈｏｔｏｒｅｃｅｐｔｏｒ”，  Ｔｈｅ  Ｊｏｕｒｎａｌ  ｏｆ  Ｎｅｕｒｏｓｃｉｅｎｃｅ，  Ａｕｇｕｓｔ  １５，  ２００１，  ２１（１６），  ｐ．６４０５−６４１２
【発明の開示】
【発明が解決しようとする課題】
【０００６】
ところが、特許文献１に開示された照明・空調統合システムのように構成された照明システムにおいては、夏季に体感温度を下げるべく光源色温度を高くしたときに、光に青色に対応する波長領域の分光成分が多く含まれることになるから、前述した如く、メラトニンの分泌抑制の効果が高くなり、就寝前の時間帯においても、メラトニンの分泌が抑制されることになり、使用者の円滑な入眠を妨げる虞がある。
【０００７】
本発明は斯かる事情に鑑みてなされたものであり、メラトニンの分泌抑制の度合いを時間に応じて変化させて生体リズムの調整を行うと共に、季節に応じて体感温度の調整を行うことにより使用者の快適性を向上することができる照明装置を提供することを目的とする。
【課題を解決するための手段】
【０００８】
本発明に係る照明装置は、発光色が異なる複数の光源と、該複数の光源夫々の発光強度を制御する制御手段とを備える照明装置において、前記制御手段は、暦情報及び時間情報に基づいて前記複数の光源からの照明光の分光分布を変更すべく、該複数の光源夫々の発光強度を制御するようにしてあることを特徴とする。
【０００９】
本発明にあっては、暦情報及び時間情報に基づいて発光色が異なる複数の光源夫々の発光強度を制御して、該複数の光源からの照明光の分光分布を変更しており、暦情報及び時間情報に基づいて前記分光分布を適切に変更することにより、生体リズム、体感温度等の光が生体に与える影響の度合いを変化させて使用者の快適性を向上することが可能となる。
【００１０】
本発明に係る照明装置は、前記制御手段は、暦情報に基づいて前記照明光の色温度を変更するとともに、時間情報に基づいて第１の波長領域及び該第１の波長領域と異なる第２の波長領域のうち一方の波長領域の分光成分をより多く含むように前記照明光の分光分布を決定して、決定された分光分布に応じて前記複数の光源夫々の発光強度を制御するようにしてあることを特徴とする。
【００１１】
本発明にあっては、複数の光源夫々の発光強度を制御して、暦情報に基づいて照明光の色温度を変更しており、例えば、暦情報に基づいて季節に応じて適切に色温度を変えることにより、季節に応じた体感温度の調整を行うことができる。また、同時に、時間情報に基づいて第１の波長領域及び第１の波長領域と異なる第２の波長領域のうち一方の波長領域の分光成分がより多く照明光に含まれるようにしており、時間情報に基づいてこれらの波長領域を適切に設定することにより、メラトニンの分泌抑制の度合いを時間に応じて変化させて時間又は使用者の生活態様に応じて生体リズムを調整することができる。これらにより、使用者の快適性を向上することができる。
【００１２】
本発明に係る照明装置は、前記第１の波長領域は４３０〜４７０ｎｍであり、前記第２の波長領域は３８０〜４３０ｎｍ及び４７０〜５１０ｎｍであることを特徴とする。
【００１３】
本発明にあっては、第１の波長領域である４３０〜４７０ｎｍと第２の波長領域である３８０〜４３０ｎｍ及び４７０〜５１０ｎｍのうち一方の波長領域の分光成分がより多く照明光に含まれるように複数の光源夫々の発光強度を制御している。４３０〜４７０ｎｍの波長領域は、青色に対する人の目の感度である等色関数ｚ（λ）の刺激値が大となる波長領域であり、メラトニンの分泌抑制特性における相対感度を等色関数の刺激値により除算した値が他の波長領域よりも小さくなる波長領域である。例えば、第１の波長領域の分光成分の方をより多く含む光においては、少ない光量にて人に青色を認識させることができるから、第２の波長領域の分光成分の方をより多く含む光と比較して、メラトニンの分泌抑制の度合いを低く抑えることができる。この結果、メラトニンの分泌抑制の度合いを時間に応じて変化させることができ、時間又は使用者の生活態様に応じて生体リズムを調整することができる。
【００１４】
本発明に係る照明装置は、前記複数の光源は、ピーク波長が異なる複数の青色光源を含み、前記制御手段は、時間情報に基づいて前記複数の青色光源夫々の発光強度を制御するようにしてあることを特徴とする。
【００１５】
本発明にあっては、ピーク波長の異なる複数の青色光源夫々の発光強度を時間情報に基づいて制御しており、複数の青色光源夫々の発光強度を制御することにより容易にメラトニンの分泌抑制の度合いを時間に応じて変化させることができ、時間又は使用者の生活態様に応じて生体リズムを調整することができる。
【００１６】
本発明に係る照明装置は、前記制御手段は、同一日付における前記照明光の色温度を略一定に保持しつつ、前記複数の光源夫々の発光強度を制御するようにしてあることを特徴とする。
【００１７】
本発明にあっては、同一日付において、照明光の色温度を略一定に保持しつつ、複数の光源夫々の発光強度を制御しており、時間に応じて照明光の色温度が変化しないから、使用者に違和感を与えずにすむ。
【００１８】
本発明に係る照明装置は、前記制御手段は、暦情報に基づいて定められた第１期間及び第２期間に応じて前記照明光が高色温度及び低色温度となるように前記複数の光源夫々の発光強度を制御するようにしてあることを特徴とする。
【００１９】
本発明にあっては、暦情報に基づいて定められた第１期間及び第２期間に応じて照明光が高色温度及び低色温度となるように、例えば、第１期間が夏季であるときは、照明光が高色温度になるように、第２期間が冬季であるときは、照明光が低色温度になるように複数の光源夫々の発光強度を制御している。この結果、夏季は、体感温度を下げることができ、冬季は体感温度を上げることができるから、季節に応じて体感温度の調整を行うことにより使用者の快適性を向上することができる。
【００２０】
本発明に係る照明装置は、発光色が異なる複数の光源と、該複数の光源夫々の発光強度を制御する制御手段とを備える照明装置において、暦情報及び時間情報と前記複数の光源からの照明光の分光分布との対応関係を示す参照テーブルと、時計手段とを備えており、前記制御手段は、前記時計手段による暦情報及び時間情報を前記参照テーブルに適用して前記照明光の分光分布を決定し、決定された分光分布に応じて前記複数の光源夫々の発光強度を制御するようにしてあることを特徴とする。
【００２１】
本発明にあっては、時計手段による暦情報及び時間情報を、暦情報及び時間情報と複数の光源からの照明光の分光分布との対応関係を示す参照テーブルに適用して、照明光の分光分布を決定し、決定された分光分布に応じて複数の光源夫々の発光強度を制御しており、暦情報及び時間情報と前記分光分布との対応関係を適切に設定することにより、生体リズム、体感温度等の光が生体に与える影響の度合いを変化させて使用者の快適性を向上することが可能となる。
【００２２】
本発明に係る照明装置は、発光色の異なる複数の光源と、該複数の光源夫々の発光強度を制御する制御手段とを備える照明装置において、前記複数の光源は、メラトニン分泌抑制等の生体作用度の異なる光源を含み、前記制御手段は、前記複数の光源からの照明光の分光分布を制御することにより、前記照明光の色温度を変化させることなく、メラトニン分泌抑制等の生体作用を調整することを特徴とする。
【００２３】
本発明にあっては、メラトニン分泌抑制等の生体に与える影響の度合いである生体作用度の異なる複数の光源を有しており、該複数の光源からの照明光の色温度を変化させることなく、メラトニン分泌抑制等の生体作用を調整すべく、複数の光源の発光強度を制御して照明光の分光分布を制御するように構成してある。照明光の色温度及び／又は生体作用度を使用者の選択に応じて変更可能に構成することにより、暦情報及び時間情報に関わらず、使用者の好みに応じて体感温度及び／又は生体リズムを調整することができ、使用者の快適性を向上することが可能となる。
【発明の効果】
【００２４】
本発明によれば、メラトニンの分泌抑制の度合いを時間に応じて変化させて生体リズムの調整を行うと共に、季節に応じて体感温度の調整を行うことにより使用者の快適性を向上することができる。
【発明を実施するための最良の形態】
【００２５】
以下、本発明をその実施の形態を示す図面に基づいて詳述する。図１は、本発明に係る照明装置の概略構成を示すブロック図である。
【００２６】
本発明に係る照明装置は、発光色が異なる複数の光源１１，１２，１３，１４，１５と、該複数の光源１１，１２，１３，１４，１５夫々の発光強度を制御する制御部２とを備えている。
【００２７】
複数の光源１１，１２，１３，１４，１５は、発光色が赤色である光源Ｒ１１、発光色が緑色である光源Ｇ１２並びに発光色が青色のピーク波長の異なる３種類の光源Ｂａ１３、光源Ｂｂ１４及び光源Ｂｃ１５からなる。これらの光源１１，１２，１３，１４，１５は、例えば、ＬＥＤ素子と、該ＬＥＤ素子を封止し、蛍光体が分散された封止樹脂と、入力端子及び出力端子とを備えてなる表面実装型ＬＥＤである。
【００２８】
制御部２は、暦情報を取得する暦情報取得部２１を有しており、該暦情報取得部２１には、照明装置の適宜部位に配された時計部３により日付等の暦情報が与えられる。暦情報取得部２１は、与えられた暦情報を色温度決定部２２に与える。
【００２９】
色温度決定部２２は、暦情報に基づいて予め定められた複数の期間のうち該当する期間を判定し、判定された期間に応じて複数の光源１１，１２，１３，１４，１５からの照明光の色温度を決定する。本実施の形態において、１年を６月〜９月、１１月〜３月、それ以外の期間の３つの期間に区分しており、色温度は、これらの期間に対応して高色温度（例えば、５０００Ｋ）、低色温度（例えば、３０００Ｋ）、中色温度（例えば、４０００Ｋ）に夫々設定してある。色温度決定部２２は、決定された色温度を分光分布決定部２３に与える。これにより、６月〜９月の期間、即ち夏季であるときは、照明光の色温度が５０００Ｋであるからやや青みが感じられて、体感温度を下げることができる一方、１１月〜３月の期間、即ち冬季であるときは、照明光の色温度が３０００Ｋであるからやや黄赤味が感じられて、体感温度を上げることができる。
【００３０】
また、制御部２は、時間情報を取得する時間情報取得部２４を有しており、該時間情報取得部２４には、時計部３により時間情報が与えられる。時間情報取得部２４は、与えられた時間情報を生体作用度決定部２５に与える。
【００３１】
生体作用度決定部２５は、時間情報に基づいて予め定められた複数の時間帯のうち該当する時間帯を判定し、判定された時間帯に応じて、メラトニンの分泌を抑制する度合いである生体作用度を決定する。本実施の形態において、一日を４時〜１６時と１６時〜４時の２つの時間帯に区分しており、生体作用度は、これらの時間帯に対応して高低に夫々設定してある。生体作用度決定部２５は、決定された生体作用度を分光分布決定部２３に与える。これにより、４時〜１６時の時間帯、即ち朝〜昼間であるときは、生体作用度が高であるから使用者のメラトニンの分泌を抑制して覚醒を促すことができる一方、１６時〜４時の時間帯、即ち夕方〜夜間であるときは、生体作用度が低であるから使用者のメラトニンの分泌の抑制の度合いを低く抑えて入眠を促すことができる。なお、本実施の形態においては、朝〜昼間、夕方〜夜間の二つの時間帯に応じて生体作用度を高低に変更しているが、使用者の生活態様に応じて生体リズムを調整すべく、これらの時間帯を使用者により設定可能に構成してもよい。
【００３２】
ここで、生体作用度は、メラトニン分泌抑制への単位光束当たりの影響度であり、非特許文献１に記載されたメラトニンの分泌抑制の波長特性を示した図を用いて求められる。図２は、夜間の受光によるメラトニンの分泌抑制の波長特性を示した図である。図２の横軸は光の波長（ｎｍ）を、縦軸はメラトニンの分泌抑制の相対感度を夫々示している。メラトニンの分泌抑制の相対感度をＭ（λ）とすると、Ｍ（λ）が高いほどメラトニンの分泌抑制の効果が高い、即ち覚醒効果が高いことを意味する。前述した如く、４６４（ｎｍ）の波長のときにメラトニンの分泌抑制の相対感度Ｍ（λ）が最大になる。
【００３３】
生体作用度は、図２の各波長に対するメラトニンの分泌抑制の相対感度Ｍ（λ）に、生体作用度を求める光の分光分布における各波長の単位時間当たりの放射エネルギである放射束を乗算し、これを可視光の波長範囲において加算した値を光束にて除算することにより求める。なお、光束は放射束を人の目の感度に対応する視感度にて評価して得られる量である。生体作用度が高い光ほどメラトニンの分泌抑制の効果が高い、即ち覚醒効果が高いことを意味する。例えば、色温度が３０００Ｋの蛍光灯の生体作用度は０．３８であり、色温度が５０００Ｋの蛍光灯の生体作用度は０．６６であり、５０００Ｋの蛍光灯の方が３０００Ｋの蛍光灯よりも覚醒効果が高い。
【００３４】
分光分布決定部２３は、色温度決定部２２により決定された色温度及び生体作用度決定部２５により決定された生体作用度に基づいて、複数の光源１１，１２，１３，１４，１５からの照明光の分光分布を決定する。分光分布決定部２３は、制御パターン情報記憶部２６に記憶してある照明光の色温度及び生体作用度と照明光の分光分布との対応関係を示す参照テーブルに色温度及び生体作用度を適用して照明光の分光分布を決定する。なお、本実施の形態において、照明光の分光分布は、同一日付における照明光の色温度を略一定に保持しつつ、時間帯に応じて生体作用度を変化させるようにしてある。
【００３５】
制御パターン情報記憶部２６には、各分光分布に対応する複数の光源１１，１２，１３，１４，１５夫々に対する制御パターン情報が記憶してある。分光分布決定部２３は、決定された分光分布に対応する制御パターン情報を制御パターン情報記憶部２６から読込み、読込まれた制御パターン情報を光源制御部２７に与える。この制御パターン情報は、例えば、照明光が決定された分光分布になるように各光源１１，１２，１３，１４，１５の発光強度を調整すべく、各光源１１，１２，１３，１４，１５に対応して設けられたスイッチング素子に与えるパルス信号を生成するためのデューティ比等のデータである。
【００３６】
ここで、照明光の分光分布の選定の考え方について説明する。生体作用度は、前述した如く、ある分光分布の光のメラトニン分泌抑制への単位光束当たりの影響度であり、期間に対応して定められた色温度毎に高低の２つのレベルに設定してある。メラトニンの分泌が抑制される度合いは、人の目に入る光の量及び該光の生体作用度の両方に応じて定まる。即ち、生体作用度が高い少量の光と生体作用度が比較的低い多量の光とを比較した場合、後者の方がメラトニンの分泌が抑制される度合いが大となる場合がある。  
【００３７】
図３は、ＸＹＺ表色系の等エネルギに対する等色関数（ｘ（λ）、ｙ（λ）、ｚ（λ））を示す図である。図３の横軸は光の波長（ｎｍ）を、縦軸は各原刺激（「Ｘ」、「Ｙ」、「Ｚ」）に対する刺激値（Ｘ（λ）、Ｙ（λ）、Ｚ（λ））、即ち人の目が感じる感度を夫々示している。メラトニンの分泌を抑制する効果が高い光の波長領域は短波長領域であり、短波長領域に対応する原刺激は「Ｚ」である。この「Ｚ」の等色関数ｚ（λ）（図中に実線にて示す）の刺激値Ｚ（λ）は、図３に示す如く、４５０（ｎｍ）近傍にて最大となる。なお、この図は、基礎刺激（色光）である白色刺激と等色するために必要な原刺激（単色光）である赤色光「Ｒ」（７００ｎｍ）、緑色光「Ｇ」（５４６．１ｎｍ）、青色光「Ｂ」（４３５．８ｎｍ）の混合量の比率を示したＲＧＢ表色系の等色関数をＸＹＺ表色系に変換した図であり、基礎刺激を再現するために必要な原刺激「Ｘ」、「Ｙ」、「Ｚ」の混合比率が示されている。
【００３８】
照明光の分光分布の選定は、メラトニンの分泌抑制の相対感度Ｍ（λ）が最大となる波長と等色関数ｚ（λ）の刺激値Ｚ（λ）が最大となる波長とが異なっている点に着目して行っている。図４は、図２に示すメラトニンの分泌抑制の相対感度Ｍ（λ）と図３に示す等色関数ｚ（λ）の刺激値Ｚ（λ）とを相対感度及び刺激値の最大値を１とした相対値にて表した図である。図４の横軸は光の波長（ｎｍ）を、縦軸は相対感度を夫々示している。図４に示す如く、等色関数ｚ（λ）の相対感度（図中に破線にて示す）の方がメラトニンの分泌抑制の相対感度Ｍ（λ）（図中に実線にて示す）よりも相対値が高くなる波長領域がある。
【００３９】
図５は、等色関数ｚ（λ）の刺激値Ｚ（λ）に対するメラトニンの分泌抑制の相対感度Ｍ（λ）の比（Ｍ（λ）／Ｚ（λ））を示した図である。図５の横軸は光の波長（ｎｍ）を、縦軸はメラトニンの分泌抑制の相対感度に人の目の感度を加味した換算作用度であるＭ（λ）／Ｚ（λ）を夫々示している。本実施の形態において、この換算作用度に基づいて、生体作用度決定部２５により決定された生体作用度に応じて、換算作用度が１以下であり、波長の変化に対する変化が比較的緩やかになる波長領域である第１の波長領域（図５中に（１）にて示す波長領域）と、該第１の波長領域と異なる第２の波長領域（図５中に（２）にて示す波長領域）のうち一方の波長領域の分光成分をより多く含むように照明光の分光分布を選定するようにしてある。
【００４０】
第１の波長領域の光は、青色光に対する人の目の感度に対してメラトニン分泌抑制の相対感度が相対的に低くなっており、生体作用度決定部２５により決定された生体作用度が低である場合に、この第１の波長領域の分光成分をより多く含む照明光の分光分布を選定する。第２の波長領域の光は、青色光に対する人の目の感度に対してメラトニン分泌抑制の相対感度が相対的に高くなっており、生体作用度決定部２５により決定された生体作用度が高である場合に、この第２の波長領域の分光成分をより多く含む照明光の分光分布を選定する。
【００４１】
本実施の形態において、第１の波長領域は４３０〜４７０ｎｍであり、第２の波長領域は３８０〜４３０ｎｍ及び４７０〜５１０ｎｍである。前述した発光色が青色のピーク波長の異なる３種類の光源Ｂａ１３、光源Ｂｂ１４及び光源Ｂｃ１５として、夫々の波長領域にピーク波長がある光源、又は夫々の波長領域のエネルギ量が多い光源を用いる。例えば、光源Ｂａ１３として３８０〜４３０ｎｍにピーク波長がある青色光源を、光源Ｂｂ１４として４３０〜４７０ｎｍにピーク波長がある青色光源を、光源Ｂｃ１５として４７０〜５１０ｎｍにピーク波長がある青色光源を用いる。
【００４２】
照明光の分光分布は、前述した照明光の色温度（高、中、低）及び生体作用度（高、低）の組合せに応じて予め複数（本実施の形態において６つ）用意してあり、前述した如く、制御パターン情報記憶部２６に照明光の色温度及び生体作用度と照明光の分光分布との対応関係を示す参照テーブル及び決定された分光分布に対応する制御パターン情報が記憶してある。
【００４３】
具体的には、暦情報に基づいて６月〜９月の期間であると判定され、時間情報に基づいて４時〜１６時の時間帯であると判定された場合、照明光の色温度が高色温度（５０００Ｋ）に、生体作用度が高生体作用度に夫々設定され、高色温度及び高生体作用度に対応する分光分布が選定される。図６は、高色温度及び高生体作用度の分光分布の一例を示す図である。図６の横軸は光の波長（ｎｍ）を、縦軸は相対強度を夫々示している。６月〜９月の期間、１６時〜４時の時間帯である場合、色温度及び生体作用度が高色温度（５０００Ｋ）及び低生体作用度に設定され、図７に示す分光分布が選定される。図７は、高色温度及び低生体作用度の分光分布の一例を示す図である。図７の横軸は光の波長（ｎｍ）を、縦軸は相対強度を夫々示している。
【００４４】
一方、１１月〜３月の期間、４時〜１６時の時間帯である場合、色温度及び生体作用度が低色温度（３０００Ｋ）及び高生体作用度に設定され、図８に示す分光分布が選定される。図８は、低色温度及び高生体作用度の分光分布の一例を示す図である。図８の横軸は光の波長（ｎｍ）を、縦軸は相対強度を夫々示している。１１月〜３月の期間、１６時〜４時の時間帯である場合、色温度及び生体作用度が低色温度（３０００Ｋ）及び低生体作用度に設定され、図９に示す分光分布が選定される。図９は、低色温度及び低生体作用度の分光分布の一例を示す図である。図９の横軸は光の波長（ｎｍ）を、縦軸は相対強度を夫々示している。
【００４５】
高生体作用度の分光分布は、図６及び図８に示す如く、第１の波長領域の分光成分よりも第２の波長領域の分光成分をより多く含んでおり、この分光分布を得るべく、光源Ｂａ１３及び光源Ｂｃ１５を主として点灯させている。低生体作用度の分光分布は、図７及び図９に示す如く、第２の波長領域の分光成分よりも第１の波長領域の分光成分をより多く含んでおり、この分光分布を得るべく、光源Ｂｂ１４を主として点灯させている。
【００４６】
なお、このような色温度及び生体作用度の調整は、数値計算による最適化分析の手法により行う。例えば、特定の色温度（５０００Ｋ）において、かつ生体作用度を最大にする各光源の発光強度を求める場合を考える。この場合、各光源の発光強度を０以上の変数とし、照明光の色温度が略一定になる所定範囲内において、生体作用度が最大となるように数値計算を行い最適化分析することにより、変数である各光源の発光強度を求めることができる。
【００４７】
以上のように決定された図６乃至図９に示す分光分布の生体作用度を図１０に示す。図１０の縦軸は生体作用度である。図１０には、比較のため、色温度が３０００Ｋの蛍光灯及び色温度が５０００Ｋの蛍光灯の生体作用度を夫々併記している。図６、図７、図８及び図９に示されている分光分布に対応する生体作用度は、図１０中の（ｂ−１）、（ｂ−２）、（ａ−１）及び（ａ−２）に夫々対応している。図１０に示す如く、同じ期間においては、照明光の色温度を略同一に保持しつつ、生体作用度のみを高低に変化させており、体感温度を変えることなく、また使用者に違和感を与えることなく、時間に応じて覚醒を促す又は入眠を促すという効果を得ることができる。
【００４８】
制御部２は、信号送信部４からの信号を受信する信号受信部２８を有しており、信号受信部２８には、信号送信部４からの信号を受信し、受信された信号を分光分布決定部２３に与える。信号送信部４は、例えば、照明装置の点灯／消灯する操作を受け付ける電源スイッチと、複数の光源１１，１２，１３，１４，１５からの照明光の色温度を変化させるべく、照明光の青色、緑色及び赤色夫々の強弱を変更する操作を受け付けるスイッチと、これらのスイッチの操作に応じた赤外線信号の送信を行う送信部とを備えてなる赤外線リモートコントローラである。
【００４９】
分光分布決定部２３は、信号送信部４からの信号に応じて色温度を変化させるべく、前述した如く決定された分光分布に応じたパルス信号を生成するためのデューティ比等のデータを修正する。なお、このとき青色の複数の光源Ｂａ１３、光源Ｂｂ１４及び光源Ｂｃ１５のうち信号送信部４からの信号に応じて変化させる光源は、前記データにおいて主として用いられている光源に限定されるようにしてある。
【００５０】
光源制御部２７は、パルス信号を生成するパルス信号生成部と、各光源１１，１２，１３，１４，１５への給電／遮断を行う電界効果型トランジスタ等のスイッチング素子を有する駆動回路部とを備えてなる。なお、駆動回路部には、照明装置の適宜部位に配された、トランス、抵抗、コンデンサ等の各種回路部品を備えてなる電源部（図示せず）が接続してある。
【００５１】
光源制御部２７は、分光分布決定部２３により与えられたデューティ比等のデータに基づき、パルス信号をパルス信号生成部にて生成し、生成されたパルス信号を駆動回路部の各スイッチング素子に与え、各スイッチング素子は与えられたパルス信号に応じて開閉動作をなす。この結果、各光源１１，１２，１３，１４，１５は、スイッチング素子の開閉動作に応じて給電／遮断されることになり、分光分布決定部２３により決定された分光分布に応じた発光強度にて点灯することになる。
【００５２】
図１１は、制御部２の各光源１１，１２，１３，１４，１５の発光強度の制御動作の内容を示すフローチャートである。制御部２は、時計部３から暦情報及び時間情報を夫々取得する（ステップＳ１，２）。
【００５３】
次に、ステップＳ１において取得された暦情報に基づいて現在が６月〜９月の期間内であるか否かを判定する（ステップＳ３）。現在が６月〜９月の期間内である場合（ステップＳ３：ＹＥＳ）、照明光の色温度を高色温度に設定する（ステップＳ４）。現在が６月〜９月の期間内でない場合（ステップＳ３：ＮＯ）、現在１１月〜３月の期間内であるか否かを判定する（ステップＳ５）。現在が１１月〜３月の期間内である場合（ステップＳ５：ＹＥＳ）、照明光の色温度を低色温度に設定する（ステップＳ６）。現在が１１月〜３月の期間内でない場合（ステップＳ５：ＮＯ）、照明光の色温度を中色温度に設定する（ステップＳ７）。
【００５４】
次に、ステップＳ２において取得された時間情報に基づいて現時点が４時〜１６時の時間帯に該当するか否かを判定する（ステップＳ８）。現時点が４時〜１６時の時間帯に該当する場合（ステップＳ８：ＹＥＳ）、生体作用度を高に設定する（ステップＳ９）。現時点が４時〜１６時の時間帯に該当しない場合（ステップＳ８：ＮＯ）、生体作用度を低に設定する（ステップＳ１０）。
【００５５】
次に、ステップＳ４、Ｓ６及びＳ７において設定された照明光の色温度並びにステップＳ９及びＳ１０において設定された生体作用度に基づいて分光分布を決定する（ステップＳ１１）。この分光分布の決定は、前述した如く、照明光の色温度及び生体作用度と照明光の分光分布との対応関係を示す参照テーブルに色温度及び生体作用度を適用することにより求められる。
【００５６】
ステップＳ１１において決定された分光分布に応じて各光源１１，１２，１３，１４，１５の発光強度を調整して（ステップＳ１２）、各光源１１，１２，１３，１４，１５の発光強度の制御動作を終了する。この各光源１１，１２，１３，１４，１５の発光強度の調整は、前述した如く、決定された分光分布に応じた制御パターン情報を制御パターン情報記憶部２６から読込み、この制御パターン情報に応じたデューティ比のパルス信号を生成して、生成されたパルス信号にて各スイッチング素子を開閉動作させることによる行われる。
【００５７】
以上のように構成された本実施の形態に係る照明装置は、暦情報及び時間情報に基づいて発光色が異なる複数の光源１１，１２，１３，１４，１５夫々の発光強度を制御して、該複数の光源１１，１２，１３，１４，１５からの照明光の分光分布を変更しており、暦情報に基づいて季節に応じて色温度を変えているから、季節に応じた体感温度の調整を行うことができる。同時に、時間情報に基づいて第１の波長領域（４３０〜４７０ｎｍ）及び第１の波長領域と異なる第２の波長領域（３８０〜４３０ｎｍ及び４７０〜５１０ｎｍ）のうち一方の波長領域の分光成分がより多く照明光に含まれるようにしており、４３０〜４７０ｎｍの波長領域は、青色に対する人の目の感度である等色関数ｚ（λ）の刺激値Ｚ（λ）が大となる波長領域であり、メラトニンの分泌抑制特性における相対感度Ｍ（λ）を等色関数の刺激値Ｚ（λ）により除算した値である換算作用度が他の波長領域よりも小さくなる波長領域であるから、メラトニンの分泌抑制の度合いを時間に応じて変化させて時間又は使用者の生活態様に応じて生体リズムを調整することができる。これらにより、使用者の快適性を向上することができる。
【００５８】
また、発光色が青色のピーク波長の異なる複数の光源Ｂａ１３、光源Ｂｂ１４及び光源Ｂｃ１５夫々の発光強度を時間情報に基づいて制御しており、複数の青色光源である光源１３，１４，１５夫々の発光強度を制御することにより容易にメラトニンの分泌抑制の度合いを時間に応じて変化させることができ、時間又は使用者の生活態様に応じて生体リズムを調整することができる。
【００５９】
同一日付において、照明光の色温度を略一定に保持しつつ、複数の光源１１，１２，１３，１４，１５夫々の発光強度を制御しているから、時間に応じて照明光の色温度が変化しないから、使用者に違和感を与えずにすむ。
【００６０】
なお、本実施の形態において、青色光源として光源Ｂａ１３、光源Ｂｂ１４及び光源Ｂｃ１５の３種類を用いているが、これに限定されず、メラトニン分泌抑制の生体作用度が相対的に異なる青色光源を含んでいればよく、２種類又は４種類以上の青色光源を用いてもよい。
【００６１】
また、本実施の形態において、一日を２つの時間帯に区分して、２つの時間帯に応じて複数の光源１１，１２，１３，１４，１５夫々の発光強度の制御を切替えているが、これに限定されず、時間に応じて複数の光源１１，１２，１３，１４，１５夫々の発光強度を緩やかに変化させるようにしてもよい。
【００６２】
また、本実施の形態において、高色温度を５０００Ｋ、中色温度を４０００Ｋ、低色温度を３０００Ｋとしているが、これらに限定されず、他の値の色温度であってもよい。
【００６３】
また、本実施の形態において、使用者の好みに応じて色温度を変更可能なように構成している。この使用者の好みを記憶して、それ以降の暦情報に基づいた色温度の変更に反映するように構成してもよい。
【００６４】
また、本実施の形態において、照明光の色温度を変更するように構成しているが、照明光の色は、黒体放射軌跡上の色である色温度に限定されず、相関色温度でもよいし、色度図座標上の色である色度でもよい。
【００６５】
また、本実施の形態においては、暦情報により色温度を変化させると共に、時間情報により第１の波長領域及び該第１の波長領域と異なる第２の波長領域のうち一方の波長領域の分光成分をより多く含むように分光分布を制御するように照明装置を構成しているが、これに限定されない。複数の光源として、メラトニン分泌抑制等の生体作用度の異なる複数の光源を有し、照明光の色温度を変化させることなく、メラトニン分泌抑制等の生体作用を調整すべく、前記複数の光源の発光強度を制御して照明光の分光分布を制御するように照明装置を構成してもよい。この場合、例えば、照明装置を、照明光の色温度及び／又は生体作用度に対する使用者の選択操作を受け付けることができるように構成し、使用者の選択操作が可能な範囲の照明光の色温度及び生体作用度と照明光の分光分布との対応関係を示す参照テーブル並びに決定された分光分布に対応する制御パターン情報を予め制御パターン情報記憶部に記憶させておき、使用者により選択された色温度及び生体作用度を前記参照テーブルに適用して照明光の分光分布を決定し、決定された分光分布に応じて複数の光源夫々の発光強度を制御するように構成する。この結果、暦情報及び時間情報に関わらず、使用者の好みに応じて体感温度及び／又は生体リズムを調整することができ、使用者の快適性を向上することが可能となる。
【００６６】
また、以上の実施の形態においては、光源としてＬＥＤを用いているが、これに限定されず、ＥＬ（Ｅｌｅｃｔｒｏ  Ｌｕｍｉｎｅｓｃｅｎｃｅ）、蛍光灯、電球等を用いてもよい。
【００６７】
さらに、本発明は、その他、特許請求の範囲に記載した事項の範囲内において種々変更した形態にて実施することが可能であることは言うまでもない。
【図面の簡単な説明】
【００６８】
【図１】本発明に係る照明装置の概略構成を示すブロック図である。
【図２】夜間の受光によるメラトニンの分泌抑制の波長特性を示した図である。
【図３】ＸＹＺ表色系の等エネルギに対する等色関数を示す図である。
【図４】メラトニンの分泌抑制の相対感度Ｍ（λ）と等色関数ｚ（λ）の刺激値Ｚ（λ）とを相対感度及び刺激値の最大値を１とした相対値にて表した図である。
【図５】等色関数ｚ（λ）の刺激値Ｚ（λ）に対するメラトニンの分泌抑制の相対感度Ｍ（λ）の比を示した図である。
【図６】高色温度及び高生体作用度の分光分布の一例を示す図である。
【図７】高色温度及び低生体作用度の分光分布の一例を示す図である。
【図８】低色温度及び高生体作用度の分光分布の一例を示す図である。
【図９】低色温度及び低生体作用度の分光分布の一例を示す図である。
【図１０】図６乃至図９に示す分光分布の生体作用度を示す図である。
【図１１】制御部の各光源の発光強度の制御動作の内容を示すフローチャートである。
【符号の説明】
【００６９】
１１  光源Ｒ（光源）
１２  光源Ｇ（光源）
１３  光源Ｂａ（光源、青色光源）
１４  光源Ｂｂ（光源、青色光源）
１５  光源Ｂｃ（光源、青色光源）
２  制御部（制御手段）
３  時計部（時計手段）
【図１】
2009259639.tif 000003
【図２】
2009259639.tif 000004
【図３】
2009259639.tif 000005
【図４】
2009259639.tif 000006
【図５】
2009259639.tif 000007
【図６】
2009259639.tif 000008
【図７】
2009259639.tif 000009
【図８】
2009259639.tif 000010
【図９】
2009259639.tif 000011
【図１０】
2009259639.tif 000012
【図１１】
2009259639.tif 000013